(57)【要約】【課題】吸収体に対する体液移行特性を向上させる。【解決手段】吸収体１に圧搾凹部ｄを設けて体液の吸収特性等を調整するにあたり、吸収体１のバックシート２側面にエンボス加工等による圧搾凹部ｄを形成することによって、吸収体１とそのトップシート３側に接触する部材との間に、体液移行を妨げるような隙間が生じないようにする。【選択図】図２
2004298504.tif 000002
【特許請求の範囲】
【請求項１】
吸収体とその身体側に接して配置された体液通過層とを有する体液吸収性物品において、
前記吸収体は、身体側面の反対側面に圧搾凹部を有し、かつ前記吸収体における前記体液通過層との接触部分および前記体液通過層における前記吸収体との接触部分に前記圧搾凹部の形成に起因する隙間が無い、
ことを特徴とする体液吸収性物品。
【請求項２】
前記体液通過層が、身体と接触するトップシート、またはこのトップシートと吸収体との間に介在されたセカンドシートである、請求項１記載の体液吸収性物品。
【請求項３】
前記吸収体は、前記身体側から順に上層および下層を有し、かつ前記下層における前記身体側面の反対側面に圧搾凹部が形成されることにより、前記下層の密度が前記上層の密度よりも高くされており、かつ前記上層における下層と接触する部分および前記下層における上層と接触する部分の双方に、圧搾凹部の形成に起因する隙間が無い、
ことを特徴とする体液吸収性物品。
【請求項４】
身体側から順に上層及び下層を有する吸収体を備えた体液吸収性物品であって、
前記下層における上層側面の反対側面に圧搾凹部が形成されることにより、前記下層の密度が前記上層の密度よりも高くされており、かつ
前記上層における下層と接触する部分および前記下層における上層と接触する部分の双方に、圧搾凹部の形成に起因する隙間が無い、
ことを特徴とする体液吸収性物品。
【発明の詳細な説明】
【０００１】
【発明の属する技術分野】
本発明は、紙おむつや生理用ナプキン等の体液を吸収保持する体液吸収性物品に関する。
【０００２】
【従来の技術】
従来、体液吸収性物品の吸収体にエンボス加工を施すことにより、吸収体における体液の処理特性（吸収性や拡散性）等を調整したりすることが知られている（例えば紙おむつに関しては特許文献１、生理用ナプキンに関しては特許文献２，３参照）。
【特許文献１】
特開平０５−３００９２２号公報
【特許文献２】
特開昭５７−２０５５０３号公報
【特許文献３】
特開昭６４−４５８０１号公報
【０００３】
【発明が解決しようとする課題】
しかし、従来のもののように、吸収体の表面層側面に圧搾凹部を設けると、吸収体への体液移行が不十分になるという問題点があった。このことは、特に大人用紙おむつや、夜用若しくは長時間用の生理用ナプキンのように比較的大量の体液吸収が予定されている物品において顕著となる。
【０００４】
したがって、本発明の主たる課題は、吸収体への体液移行特性を向上させることにある。
【０００５】
【課題を解決するための手段】
上記課題を解決した本発明は次記のとおりである。
＜請求項１記載の発明＞
吸収体とその身体側に接して配置された体液通過層とを有する体液吸収性物品において、
前記吸収体は、身体側面の反対側面に圧搾凹部を有し、かつ前記吸収体における前記体液通過層との接触部分および前記体液通過層における前記吸収体との接触部分に前記圧搾凹部を形成することによる隙間が無い、
ことを特徴とする体液吸収性物品。
【０００６】
（作用効果）
従来のように、吸収体とその身体側に接して配置された体液通過層（体液が単に厚さ方向に通過するもののみならず層内の拡散を介して厚さ方向に通過するものも含む）とを有する体液吸収性物品において、吸収体の体液通過層側面に圧搾凹部を設けると、当該圧搾凹部により吸収体と体液通過層との間に隙間が生まれ、両者間の体液移行面積が減少する結果、吸収体への体液の移行が妨げられてしまう。そしてこの場合、吸収体への体液移行の遅れにより、体液が体液通過層を通じて身体側へ戻るおそれがある。
【０００７】
しかるに、発想を逆転して、本発明のように吸収体の身体側面の反対側面に圧搾凹部を形成することにより体液の吸収・拡散特性等を調整するとともに、吸収体における体液通過層との接触部分および体液通過層における吸収体との接触部分に圧搾凹部の形成に起因する隙間が無い構成を採用することにより、体液通過層と吸収体との接触面積を十分に確保でき、もって吸収体への体液移行が円滑・迅速になされるようになる。
【０００８】
＜請求項２記載の発明＞
前記体液通過層が、身体と接触するトップシート、またはこのトップシートと吸収体との間に介在されたセカンドシートである、請求項１記載の体液吸収性物品。
【０００９】
（作用効果）
体液吸収性物品には、身体と接触するトップシート、またはこのトップシートと吸収体との間に介在されたセカンドシートを有するものがあり、かかる体液通過層と吸収体との体液移行特性を改善する際に本発明は好適である。
【００１０】
＜請求項３記載の発明＞
前記吸収体は、前記身体側から順に上層および下層を有し、かつ前記下層における前記身体側面の反対側面に圧搾凹部が形成されることにより、前記下層の密度が前記上層の密度よりも高くされており、かつ前記上層における下層と接触する部分および前記下層における上層と接触する部分の双方に、圧搾凹部の形成に起因する隙間が無い、
ことを特徴とする体液吸収性物品。
【００１１】
＜請求項４記載の発明＞
身体側から順に上層及び下層を有する吸収体を備えた体液吸収性物品であって、
前記下層における上層側面の反対側面に圧搾凹部が形成されることにより、前記下層の密度が前記上層の密度よりも高くされており、かつ
前記上層における下層と接触する部分および前記下層における上層と接触する部分の双方に、圧搾凹部の形成に起因する隙間が無い、
ことを特徴とする体液吸収性物品。
【００１２】
（請求項３及び４記載の発明の作用効果）
本出願人は、先の特願２００２−２８７２３１号において、吸収体を上層およびこれよりも密度の高い下層を有するものとなし、吸収体の厚さ方向に密度勾配をもたせることにより、スポット吸収性及び体液拡散性を改善する技術（以下、先行技術という）を提案した。
【００１３】
かかる先行技術によれば、例えば上層の密度を体液透過性に重点を置いて設定する一方で、下層を上層よりも高密度にすれば、吸収体に受け入れられた体液は上層を素早く通過して下層表面に到達する。この際、下層は体液を透過し難いため、体液は上層と下層との間、上層下部（下層側部分）および下層上部を通じて下層表面方向に拡散する。よってこの場合、全体としてみれば、スポット吸収性及び体液拡散性の両方に優れるものとなり、またその結果、使用感が良好（体液の逆戻りや、体液によるベタツキ感が少ない）で、漏れも生じ難いものとなる。また、スポット吸収性を従来と同程度に維持しつつも拡散性を向上させたり、反対に拡散性は従来と同程度に維持しつつもスポット吸収性を向上させたりすることもできる。これらのいずれを選択するかは、物品の種類（生理用ナプキン、紙おむつ等）、ユーザーニーズ等により適宜定めることができるものである。
【００１４】
しかし、この先行技術において吸収体の下層に圧搾凹部を形成することにより下層の密度を向上させる場合、下層における上層側面に圧搾凹部を設けることを想定していたが、この場合、当該圧搾凹部と上層との間に隙間が生まれ、当該隙間が上層から下層への体液の移行を妨げることになる。したがって、本請求項２記載のような複数層構造の吸収体においては、吸収体とそのトップシート側面に接触する部材との間のみならず、吸収体内における上層と下層との間も隙間無く接触させる構造を採ることにより、身体から排泄された体液がより広範な経路を経て吸収体の下層まで到達でき、先の特願２００２−２８７２３１号において達成したスポット吸収性および拡散性の改善効果を損ねることなく、体液の移行特性を向上できるようになる。
【００１５】
【発明の実施の形態】
前述のとおり、本発明は複数回の体液吸収を行う場合や多量の体液を吸収するような体液吸収性物品、例えば大人用紙おむつや、長時間用若しくは夜用生理用ナプキンに好適なものであるとともに、乳幼児用紙おむつや昼用生理用ナプキン、ライナーシート等、体液吸収性物品全般に適用できるものである。また、本発明は吸収体の構造に特徴があるため、例えば紙おむつにおいてはパンツ型若しくはテープ式の別を問わず適用でき、また生理用ナプキンにおいては側部に張り出すフラップを有する羽根付タイプ若しくは羽根無しタイプの別を問わず適用できるものである。さらに、羽根付タイプの生理用ナプキンではフラップ内に吸収体を備えるものもあるが、この吸収体として本発明を適用しても良い。
【００１６】
以下では理解の容易化のため、テープ式紙おむつの例および生理用ナプキンの例を引いて、本発明の実施形態について説明する。
【００１７】
＜第１の形態：テープ式紙おむつへの応用例＞
図１〜図３は、本発明に係るテープ式紙おむつへの応用例を示したものである。この紙おむつは、バックシート２と、トップシート３との間に、体液を吸収し保持する吸収体１が介在されたものである。
【００１８】
バックシート２としては、ポリエチレンやポリプロピレン等のオレフィン系樹脂シートなどのように体液を透過しない（遮水性）を有するシート材が通常用いられるが、この他にポリエチレンシート等に不織布を積層したラミネート不織布や、さらには防水フィルムを介在して実質的に不透液性を確保した不織布シート（この場合には防水フィルムと不織布とで不透液性バックシートを構成する。また通常、製品外面側に外装不織布４が位置する積層形態が採られる）などを用いることができる。近年はムレ防止の観点から透湿性を有するものが用いられる傾向にある。この遮水・透湿性シート材としては、ポリエチレンやポリプロピレン等のオレフィン系樹脂中に無機充填剤を混練してシートを成形した後、一軸または二軸方向に延伸することにより得られる微多孔性シートがある。
【００１９】
トップシート３としては、有孔または無孔の不織布や多孔性プラスチックシートなどのように、尿等の体液を透過させるものが用いられる。このような不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。
【００２０】
吸収体１としては、例えばフラッフパルプと高吸収性ポリマーとにより形成された公知のものを用いることができる。高吸収性ポリマーは吸収体１を構成するパルプ中に例えば粉粒体として混入できるほか、吸収体１の表面に保持させることもできる。これらは必要に応じてティシュペーパー等の吸水紙により包むこともできる。パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００２１】
他方、本発明では、吸収体１とトップシート３との間に、トップシート３よりも体液浸透速度の速いセカンドシート５を介在させることもでき、この場合セカンドシート５が吸収体１の身体側面に接触する体液通過層となり、セカンドシート５を設けない場合にはトップシート３が吸収体１の身体側面に接触する体液通過層となる。かかるセカンドシート５を組み込むと、トップシート３で受け入れた体液がセカンドシート５に速やかに浸透する結果、ウェットバックが効果的に防止される。
【００２２】
この機能を満足させるセカンドシート５としては、繊維密度がトップシート３の繊維密度より小さいものを使用できる。また、セカンドシート５は肌に直接接触しないから、短繊維不織布からなるものを用いることもできる。さらに、セカンドシート５として、メッシュ状のフィルムや孔開き不織布なども用いることができる。セカンドシート５は、保水性繊維を含むものであってもよい。この保水性繊維としては、レーヨンやセルロース誘導体などの繊維を挙げることができ、これを他の素材に対して織り込むことができる。セカンドシート５に上記親水剤を添加することもできる。不織布の材質としては、ポリプロピレン、ポリエチレン、ポリエチレンテレフタレート、ポリアミド、ナイロン、レーヨン、ビニロン、アクリルなどを挙げることができ、直接法による場合には、ポリプロピレン、ポリエチレンテレフタレート、ナイロン繊維からなるものが好適に採用できる。短繊維の接合には、湿式法、乾式法（エアレイ法やカード法）、スパンレース法などにより、熱や接着剤により点接着、水流や針等で交絡させる形態を挙げることができる。コア／シェル、サイドバイサイド構造の複合繊維からなる不織布も挙げることができ、この複合繊維として、ポリエチレンテレフタレート／ポリエチレン、ポリプロピレン／ポリエチレン、ポリプロピレン／ポリプロピレンなどを挙げることができる。
【００２３】
また、本実施形態では、紙おむつの表面がわ両側部に、長手方向に沿ってかつ吸収性物品のほぼ全長に亘ってサイド不織布６，６がそれぞれ設けられるとともに、このサイド不織布６，６の一部６ｂが側方に延在されるとともに、前記不透液性バックシート２の一部が側方に延在され、これら側方に延在されたサイド不織布６部分と不透液性バックシート２部分とがホットメルト接着剤等により接合されている。
【００２４】
サイド不織布６としては、重要視する機能に応じてそれぞれ撥水処理不織布または親水処理不織布を使用することができる。たとえば、尿等の体液が浸透するのを防止する、あるいは肌触り感を高めるなどの機能を重視するならば、シリコン系、パラフィン系、アルキルクロミッククロリド系撥水剤などをコーティングした撥水処理不織布を用い、前記ウイング状張り出し部Ｗ、Ｗにおける経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにする。サイド不織布６として親水処理不織布を用いるのが望ましい。かかるサイド不織布６としては、天然繊維、合成繊維または再生繊維などを素材として、適宜の加工法によって形成されたものを使用することができるが、好ましくは目付け量を抑えて通気性を持たせた不織布を用いるのがよい。
【００２５】
サイド不織布６，６は二重シート構造を有し、その内側部分は吸収コア４の側縁より幅方向中央側に延在され、かつその先端部の二重シート間に糸ゴムなどの弾性伸縮部材６Ａ，６Ａが伸張状態でホットメルト接着剤により接着されている。サイド不織布６の長手方向前後端部は、トップシート３表面に接着されているが、中間部分は接着されていない。したがって、使用状態においては、弾性伸縮部材６Ａ，６Ａの収縮力により前後方向中間部分が起立し、横漏れ防止バリヤーＣ，Ｃとして機能する。
【００２６】
本発明の適用部分は、図２及び図３に示されている。すなわち、吸収体１のバックシート側面（身体側面の反対側面）には、所望の体液吸収特性や拡散特性を付与するために、エンボス加工等の圧搾加工により圧搾凹部ｄが形成されるのに対して、トップシート側面（身体側面）は圧搾加工による凹凸の無い平坦面とされている。そして図示形態では、この吸収体のトップシート側面に、上下面が平坦なセカンドシート５が隙間なく密着され、さらにセカンドシートの上面にトップシート３が隙間なく密着されている。したがって、身体から排泄された体液は、トップシート３の広範な接触面を介してセカンドシート５に移行され、次いでセカンドシート５の広範な接触面を介して吸収体１に供給される。つまり、身体から排泄された体液は広範な接触面を介して部材３，５間を移行し吸収体１に供給される。よって、吸収体１に対してエンボス加工等の圧搾加工により所望の体液吸収特性や拡散特性を付与しつつも、その圧搾加工によって吸収体１への体液移行特性が妨げられることがない。なお、圧搾凹部の具体的構成については後述する。
【００２７】
＜第２の形態：複数層構造の吸収体を有する生理用ナプキンへの応用例＞
図４及び図５は、本発明に係る生理用ナプキンの一例１を示したものである。この生理用ナプキン１は、バックシート２と、経血やおりもの等の体液を透過させる平坦な透液性トップシート３との間に、体液を吸収し保持する吸収体１が介在されたものである。
【００２８】
バックシート２、トップシート３、吸収体１、サイドシート６による横漏れ防止バリヤーＣ，Ｃは前述の紙おむつと基本的に共通するので同じ符号を付して説明を省略する。また、本生理用ナプキン例ではセカンドシート５が省略されているが、前述の紙おむつ例と同様に設けることもできる。
【００２９】
本発明の適用部分は図５に示されている。すなわち、本例の吸収体１は、透液性トップシート３に接する上層１Ｕと、上面が上層に接し且つ下面がバックシート２に接する下層１Ｌとからなる二層構造を有しており、トップシート側面（身体側面）が圧搾凹部の無い平坦面とされる一方、下層１Ｌのバックシート側面（身体側面の反対側面）にエンボス加工等の圧搾加工により凹部ｄが形成され、下層１Ｌの密度が上層１Ｕよりも高くされている。そして、図示形態では、上層１Ｕにおける下層１Ｌとの接触部分および下層１Ｌにおける上層１Ｕとの接触部分の双方に圧搾に起因する凹凸が無く、上層１Ｕの下面と下層１Ｌの上面とが隙間無く密着されている。したがって、身体から排泄された体液は、トップシート３の広範な接触面を介して吸収体１の上層１Ｌに移行され、次いで上層１Ｌの広範な接触面を介して下層１Ｌに移行される。つまり本形態においても、身体から排泄された体液は広範な接触面を介して部材間を移行し吸収体１に到達し、さらに吸収体内の上下層１Ｕ，１Ｌ間においても広範な接触面を介して体液が移行される。よって、吸収体１に対してエンボス加工等の圧搾加工により所望の体液吸収特性や拡散特性を付与しつつも、その圧搾加工によって吸収体１への体液移行特性が妨げられることがない。
【００３０】
ところで、吸収体１の下層１Ｌと上層１Ｕとは同じ大きさ・形状を有していても良いし、下層１Ｌを大きくして一部を上層１Ｕの端部から食み出させても良いが、この場合、より密度が高く硬い下層１Ｌが吸収体の縁部を形成するため、当該部分が角張った肌触りを装着者に与えるため、好ましくない。一方、この問題点を解決するために、上層１Ｕを下層１Ｌの端部から食み出させることもできるが、体液透過性が高くかつ体液保持性の低い低密度上層１Ｕが食み出していると、当該部分における体液の逆戻り等を発生させるおそれがある。
【００３１】
そこで、本実施形態では、下層１Ｌの少なくとも両脇部（当該部分が太股の内側に当たるため上記肌触りに対する影響が最も大きい）、好適には周縁部全体を上層１Ｕの端部より食み出させるとともに、上層１Ｕの密度をＡ、下層１Ｌにおける上層と対応する部分ＬＬの密度をＢ、下層の食み出し部ＬＥの密度をＣとしたとき、Ｂ＞ＡかつＢ＞Ｃの関係を有するように構成している。かくして、下層の高密度部よりも密度の低い下層の食み出し部ＬＥが吸収体１の周縁部を形成することになるため、肌触りが良好となる。
【００３２】
またこの場合に密度Ｃ＞密度Ａの関係を有すると、すなわち、密度Ｂ＞密度Ｃ＞密度Ａの関係を有すると、下層に吸収された体液が上層に逆戻りせずに食み出し部まで拡散し易くなるため、特に好ましい。かかる密度関係を形成するために、密度Ａの上層を形成するとともに、密度Ｃの下層を形成し、その上層と重なる部分をエンボス加工または全体圧縮加工により密度Ｂまで圧縮し、両者を積層することができる。
【００３３】
本発明における上層１Ｕの密度Ａは２０〜５０ｋｇ／ｍ３、特に２５〜４０ｋｇ／ｍ３となし、下層１Ｌにおける上層対応部分ＬＬの密度は４０〜１２０ｋｇ／ｍ３、特に６０〜１００ｋｇ／ｍ３となすことが推奨される。また、下層１Ｌの食み出し部ＬＥの密度は２０〜８０ｋｇ／ｍ３、特に２５〜６０ｋｇ／ｍ３とすることが推奨される。かかる範囲において、上記密度の大小関係を形成すると、スポット吸収性および体液拡散性を向上させることができ、また吸収体周縁部の肌触り感の向上および逆戻りの防止を図ることができる。
【００３４】
＜圧搾凹部の具体的構成＞
他方、本発明における圧搾凹部ｄを形成する場合、例えば下記四種類のパターンを採用できる。
【００３５】
すなわち、第１の圧搾加工例は、図６に示すように、エンボスパターンの凹部ｄが網状に連続する形態である。符号ｐはエンボスにより圧搾されていない凸部を示している。より詳細には、物品の前後方向および幅方向に連続する溝状凹部ｄを有する格子状エンボスパターン（同図（ａ））、溝状凹部ｄが前後方向に対して傾斜した斜め格子状エンボスパターン（同図（ｂ））、連続する溝状凹部ｄがハニカム状（すなわちエンボス凸部が六角形）をなすハニカムエンボスパターン（同図（ｃ））の他、円形のエンボス凸部ｐが離間配列され、それらの間に連続網状の凹部ｄが形成されたエンボスパターン等がある。
【００３６】
第２の圧縮加工例は、図７に示すように、エンボスパターンの凹部ｄ，ｄ相互が表面方向において離間配列された形態である。同図からも明らかなように、前述の網状連続パターンの凹凸を反対にすることにより形成できる。
【００３７】
第３の圧縮加工例は、図８に示すように所定部位、例えば吸収体１の周縁部を除く主要部分全領域を実質的に平坦に圧縮し凹部ｄとなした形態である。
【００３８】
第４の圧縮加工例は、図９に示すように、物品前後方向（吸収体長手方向）等の所定方向に連続する線状の凹部ｄ，ｄ…が相互に平行に複数列設けられたエンボスパターンを採用する形態である（図示せず）。
【００３９】
本発明では、圧搾凹部ｄの圧縮率（圧搾前後における厚さの比として定まる）は基本的には任意であるが、圧縮率が３０〜５５％の範囲内にあると体液拡散性が良好になることが判明している。さらに、本発明では、圧搾凹部ｄの面積率（圧搾凹部の面積／（加工対象部位の面積）×１００）は、２０〜１００％の範囲内で任意に設定できるが、特に３０〜７０％の範囲が好適である。また、圧搾凹部ｄは吸収体の全体にわたり配列するのが好ましいが、一部、例えば体液受入部分を含む中央部にのみ設けることもできる。
【００４０】
ところで、本発明では、上記第１〜第３の圧縮加工例のいずれを採用してもよいが、とりわけ好ましいのは第１の加工例である。すなわち、本発明の吸収体１では体液を透過し難い高密度部に沿って体液が拡散するため、この高密度部に相当するエンボス凹部ｄが連続網状をなしていると、吸収体１に到達した体液は網状にすなわち広範囲に均一に拡散し、しかも高密度部が途切れることなく連続しているため体液は非常に容易に拡散するのである。
【００４１】
また、第２及び第４の加工例のエンボスパターンにおいても、エンボス凹部ｄの最短相互間隔Ｘ（図７参照）が３ｍｍ以下となる近接配列を採用すれば、体液はこれよりも広い範囲で吸収体１に供給されるので、上記拡散性の観点からはエンボス凹部ｄが実質的に連続しているのと同様になる。しかし、もちろん上記第１の圧縮加工例のように連続網状をなすほうが拡散性は顕著に向上する。
【００４２】
特に物品前後方向の体液拡散性を重視する場合には、図１０（ａ）（ｂ）に示すように、エンボス凹部ｄの長手方向と物品の前後方向とのなす角αが４５度以下であるのが好ましい。図１０（ａ）に示す例は、図６（ｃ）に示す例の角度を変更したものであり、図１０（ｂ）に示す例は、図６（ｂ）に示す例の角度を変更したものである。吸収体１に到達した体液は前述のとおりエンボス凹部ｄに沿って移動するため、上記角度のエンボスパターンを採用することにより、物品幅方向（前後方向と直交する方向）への体液拡散が抑制されるとともに、前後方向への体液拡散が促進されるようになり、所謂横漏れが発生し難くなる。
【００４３】
また同様の効果を発揮させるために、図１０（ｃ）に示すように、長手方向と物品の前後方向とのなす角が４５度以下の線状凹部ｄ１と、長手方向と物品の前後方向とのなす角βが４５度より大きい線状凹部ｄ２とを有する（図示例ではこれらの凹部により網状パターンが形成されている）エンボスパターンにおいて、前者の凹部ｄ１の長さｂを後者ｄ２の長さａよりも長くすることもできる。この場合、体液の前後方向拡散を促進する線状凹部ｄ１の占める割合が多くなり、吸収体１に移行した体液を物品前後方向に効率良く拡散させることができるようになる。
【００４４】
さらに同様のエンボスパターンにおいて、図１０（ｄ）に示すように、物品の前後方向とのなす角が４５度以下の線状凹部ｄ１の幅ｅを、物品の前後方向とのなす角βが４５度より大きい線状凹部ｄ２の幅ｃよりも太くするのも好ましい。この場合、体液の前後方向拡散を促進する凹部ｄ１の幅ｅが相対的に太くなり、当該部分ｄ１における体液を遮る機能が相対的に高くなる結果、体液の前後方向拡散が促進されるようになる。
【００４５】
なお、図１０（ｄ）の形態は、前述の図１０（ａ）（ｂ）の形態や図１０（ｃ）の形態と組み合わせることもできる。また、これら図１０に示す変形例では、第１の圧縮加工例（網状エンボスパターン）を基本としているが、線状の圧搾部分を有する限り、例えば第２の圧縮加工例のような離間配置のパターンにも適用することができる。
【００４６】
他方、本発明の吸収体１のエンボス加工は、例えば図１１に示すように、外周面に圧搾凸部２１が多数配列されたエンボスロール２０と、外周面に凹凸を有しないアンビルロール３０との間で吸収体１を圧搾することにより形成できる。この場合、形成される吸収体１は、アンビルロール３０側の面が圧搾凹部の無い平坦面となり、エンボスロール２１側の面にエンボス凹部ｄが形成される。
【００４７】
また上述の生理用ナプキン例のように、上層１Ｕおよびこれよりも密度の高い下層１Ｌからなり、下層１Ｌのバックシート側面にエンボス凹部ｄが形成され、上層１Ｕの上面および下面、ならびに下層１Ｌの上面が平坦とされた吸収体１を形成する場合、上層１Ｕと下層１Ｌとを個別に形成した後に両者を積層することもできるが、製造に際して上層１Ｕの圧縮密度調整を行う場合等においては、図１１に示すように上層１Ｕおよび下層１Ｌの両者を一体的に取り扱い、下層１Ｌのバックシート側からのみ圧搾加工を施すようにすることもできる。
【００４８】
また本発明では、図１１に示すようにエンボスロール２０の幅方向中間部に拡径部２２を設け、この拡径部２２の外周面にエンボス凸部２１を設けることにより、エンボスロール２０の幅方向両端部により第１圧縮部分ＰＳ１を形成し、拡径部２２によりさらに圧縮された第２圧縮部分ＰＳ２を形成し、およびエンボス凸部２１により第２圧縮部分ＰＳ２よりも更に圧縮された第３圧縮部分ＰＳ３を形成するといった圧縮加工を施すこともできる。
【００４９】
また本発明では、図１２に示すように、下層１Ｌのバックシート２側から上層１Ｕ内に至る圧搾凹部を形成することができる。この場合、前述例のように上下層１Ｕ，１Ｌの平坦面相互の接触により密着を図る形態とはならないが、上層１Ｕにおける下層１Ｌ側面にも圧搾凹部ｄ２が形成されるとともに、下層１Ｌの圧搾凹部ｄ１の形成により上層側面に突出した凸部ｂが形成され、この凸部ｂが上層１Ｕの圧搾凹部ｄ２に嵌合された状態となり、上層１Ｕ及び下層１Ｌの一体性が高まり、上層１Ｕと下層１Ｌとの間に圧搾加工に起因する隙間が生じず、また上層と下層との接触面積は前述の形態よりも更に広くなり、上層内に到達した体液は更に広範な接触面を介して更に容易に下層１Ｌに移行できるようになる。
【００５０】
他方、上記紙おむつの形態における構成は必要に応じて上記生理用ナプキンに転用でき、またその反対も可能であることはいうまでもない。
【００５１】
【発明の効果】
以上のとおり、本発明によれば吸収体への体液の移行特性を向上できるようになる。
【図面の簡単な説明】
【図１】本発明に係る紙おむつ例を示す平面図である。
【図２】ＩＩ−ＩＩ断面図である。
【図３】ＩＩＩ−ＩＩＩ断面図である。
【図４】本発明に係る生理用ナプキン例を示す平面図である。
【図５】要部縦断面図である。
【図６】圧縮加工の第１の具体例を示す要部平面図である。
【図７】圧縮加工の第２の具体例を示す要部平面図である。
【図８】圧縮加工の第３の具体例を示す平面図である。
【図９】圧縮加工の第４の具体例を示す図である。
【図１０】他の好適な圧縮加工の例を示す要部平面図である。
【図１１】本発明に好適な圧縮加工のフロー図である。
【図１２】他の好適な圧縮加工の例を示す要部断面図である。
【符号の説明】
１…吸収体、２…不透液性バックシート、３…透液性トップシート、４吸収体１Ｕ…上層、１Ｌ…下層、ｂ…凸部、ｄ…圧搾凹部。
【図１】
2004298504.tif 000003
【図２】
2004298504.tif 000004
【図３】
2004298504.tif 000005
【図４】
2004298504.tif 000006
【図５】
2004298504.tif 000007
【図６】
2004298504.tif 000008
【図７】
2004298504.tif 000009
【図８】
2004298504.tif 000010
【図９】
2004298504.tif 000011
【図１０】
2004298504.tif 000012
【図１１】
2004298504.tif 000013
【図１２】
2004298504.tif 000014